(57)【要約】【課題】高さの異なる取付ホルダに対する兼用性の高いダウンライトを提供する。【解決手段】ダウンライトは、回動台１と、回動台１の一端に設けられる放熱アッセンブリ３と、一端が回動台１に回動可能に接続される高さ調節部材２と、放熱アッセンブリ３の内部に設置される光源アッセンブリとを有する。放熱アッセンブリ３と回動台１との相対高さを調節するように、高さ調節部材２に長孔である調節孔が開設される。放熱アッセンブリ３が調節孔内に挿設されるスライド要素とともに調節孔の長手方向に往復に移動することができる。ダウンライト全体の高さが調節可能になる。【選択図】図１
0003228536.tif 000002
【実用新案登録請求の範囲】
【請求項１】
回動台と、
一端が前記回動台に回動可能に接続され、長孔である調節孔が開設される高さ調節部材と、
前記回動台の一端に設けられ、前記回動台との相対高さを調節するように、前記調節孔内に挿設されるスライド要素とともに前記調節孔の長手方向に沿って往復移動可能である放熱アッセンブリと、
前記放熱アッセンブリ内に設置される光源アッセンブリと、
を有することを特徴とするダウンライト。
【請求項２】
前記回動台の反対の両側にそれぞれ前記高さ調節部材が回動可能に接続され、前記放熱アッセンブリの反対の両側にそれぞれ前記スライド要素としてのスライドブロックが設けられ、前記スライドブロックが、対応の前記高さ調節部材の調節孔に嵌設されるとともに、前記調節孔内で往復移動可能である
ことを特徴とする請求項１に記載のダウンライト。
【請求項３】
前記調節孔は、前記回動台に近隣する端から前記放熱アッセンブリに近隣する端への方向において延在するトラック孔である
ことを特徴とする請求項１に記載のダウンライト。
【請求項４】
前記放熱アッセンブリは、前記高さ調節部材と接続される第１放熱部材と、前記第１放熱部材の前記回動台から離間する端に接続される第２放熱部材とを含み、前記光源アッセンブリが前記第１放熱部材に設置され、
前記第１放熱部材は、本体部と、それぞれ前記本体部の反対の両側に設けられる突出部とを含み、前記突出部が、対応の前記調節孔内に挿設される前記スライド要素とともに前記高さ調節部材に固定される
ことを特徴とする請求項１に記載のダウンライト。
【請求項５】
前記突出部を前記高さ調節部材に締付固定するための第１締付部材をさらに有することを特徴とする請求項４に記載のダウンライト。
【請求項６】
前記回動台は、中空チャンバーを有し、前記本体部の前記第２放熱部材から離間する端が前記中空チャンバーに挿入され、前記第１放熱部材の回動に干渉しないように、前記回動台に回避用切欠が開設され、
前記第２放熱部材の回動に干渉しないように、前記第２放熱部材の前記回避用切欠に対応する側の形状を、前記回避用切欠に合わせるようにする
ことを特徴とする請求項４に記載のダウンライト。
【請求項７】
前記高さ調節部材の前記回動台の中心軸に対する回動角度の範囲は−１５°〜３０°であり、前記放熱アッセンブリの前記回動台の中心軸に対する回動角度の範囲が０°〜４５°である
ことを特徴とする請求項４に記載のダウンライト。
【請求項８】
前記回動台の外に環装されるとともに前記回動台に対して回動可能な帯状リングをさらに有することを特徴とする請求項１〜７のいずれか１項に記載のダウンライト。
【請求項９】
前記回動台の外側に環状凹溝が設けられ、前記帯状リングの内壁に、その周方向において前記環状凹溝内に係合する複数の弾性片が設けられ、前記帯状リングの内壁に、前記帯状リングが前記回動台から抜けることを防止するための第１位置制限突起がさらに設けられる
ことを特徴とする請求項８に記載のダウンライト。
【請求項１０】
前記回動台内側に取り外し可能に挿設される装飾部材と、前記放熱アッセンブリの前記回動台に近隣する端に設置されるとともに内側にアンチグレアのための歯状微細構造が設けられる押圧リングとをさらに有する
ことを特徴とする請求項１〜７のいずれか１項に記載のダウンライト。
【考案の詳細な説明】
【技術分野】
【０００１】
本考案は、照明の技術分野に属し、殊に、ダウンライトに関する。
【背景技術】
【０００２】
ダウンライトは、従来の灯具をもとに改良、開発した製品であり、見栄えがよく、コンパクトで、省スペースである。ダウンライトは、建築物の内装との一体性を保ちながら取り付けることができるため、灯具の設置を損なわない。また、光源は、建築物の内装の内部に隠され、柔らかい雰囲気を作ることができ、はみ出ることがなく、ノングレアで、柔らかい且つ均一な視覚効果を有している。ダウンライトは、複数配置し、空間における圧迫感を軽減して、暖かい雰囲気を作ることができるため、ホテル、自宅、カフェーによく使われている。
【考案の概要】
【考案が解決しようとする課題】
【０００３】
しかし、従来のダウンライトは、成形時に高さが同一になり、それぞれ、対応の高さを有する取付ホルダにしか取り付けできない。つまり、従来のダウンライトが、高さが異なる取付ホルダに兼用できず、消費者の使用要求を満たすことが困難である。
【０００４】
本考案は、従来のダウンライトの兼用性が低い技術的課題を解決できるダウンライトを提供することを目的とする。
【課題を解決するための手段】
【０００５】
本考案は、下記のように実現される。
【０００６】
ダウンライトは、
回動台と、
一端が前記回動台に回動可能に接続され、長孔である調節孔が開設される高さ調節部材と、
前記回動台の一端に設けられ、前記回動台との相対高さを調節するように、前記調節孔内に挿設されるスライド要素とともに前記調節孔の長手方向に往復移動可能である放熱アッセンブリと、
前記放熱アッセンブリ内に設置される光源アッセンブリとを有する。
【０００７】
さらに、前記回動台の反対の両側にそれぞれ前記高さ調節部材が回動可能に接続され、前記放熱アッセンブリの反対の両側にそれぞれ前記スライド要素としてのスライドブロックが設けられ、前記スライドブロックが、対応の前記高さ調節部材の調節孔に嵌設されるとともに、前記調節孔内で往復移動可能である。
【０００８】
さらに、前記調節孔は、前記回動台に近隣する端から前記放熱アッセンブリに近隣する端への方向において延在するトラック孔である。
【０００９】
さらに、前記放熱アッセンブリは、前記高さ調節部材と接続される第１放熱部材と、前記第１放熱部材の前記回動台から離間する端に接続される第２放熱部材とを含み、前記光源アッセンブリが前記第１放熱部材に設置され、
前記第１放熱部材は、本体部と、それぞれ前記本体部の反対の両側に設けられる突出部とを含み、前記突出部が、対応の前記調節孔内に挿設される前記スライド要素とともに前記高さ調節部材に固定される。
【００１０】
さらに、前記ダウンライトは、前記突出部を前記高さ調節部材に締付固定するための第１締付部材をさらに有する。
【００１１】
さらに、前記回動台は、中空チャンバーを有し、前記本体部の前記第２放熱部材から離間する端が前記中空チャンバーに挿入され、前記第１放熱部材の回動に干渉しないように、前記回動台に回避用切欠が開設され、
前記第２放熱部材の回動に干渉しないように、前記第２放熱部材の前記回避用切欠に対応する側の形状を、前記回避用切欠に合わせるようにする。
【００１２】
さらに、前記高さ調節部材の前記回動台の中心軸に対する回動角度の範囲は−１５°〜３０°であり、前記放熱アッセンブリの、前記回動台の中心軸に対する回動角度の範囲が０°〜４５°である。
【００１３】
さらに、前記ダウンライトは、前記回動台の外に環装されるとともに前記回動台に対して回動可能な帯状リングをさらに有する。
【００１４】
さらに、前記回動台の外側に環状凹溝が設けられ、前記帯状リングの内壁に、その周方向において前記環状凹溝内に係合する複数の弾性片が設けられ、前記帯状リングの内壁に、前記帯状リングが前記回動台から抜けることを防止するための第１位置制限突起がさらに設けられる。
【００１５】
さらに、前記ダウンライトは、前記回動台内側に取り外し可能に挿設される装飾部材と、前記放熱アッセンブリの前記回動台に近隣する端に設置されるとともに内側にアンチグレアのための歯状微細構造が設けられる押圧リングとをさらに有する。
【考案の効果】
【００１６】
本考案によるダウンライトは、回動台と、回動台の一端に設けられる放熱アッセンブリと、一端が回動台に回動可能に接続される高さ調節部材と、放熱アッセンブリの内部に設置される光源アッセンブリとを有する。放熱アッセンブリと回動台との相対高さを調節するように、高さ調節部材に調節孔が開設され、放熱アッセンブリが調節孔内に挿設されるスライド要素とともに調節孔の長手方向に往復に移動することができる。放熱アッセンブリは高さ調節部材の調節孔の長手方向に往復に移動できるので、ダウンライト全体の高さを調節可能になり、高さが異なる取付ホルダに適用できるようになる。高さが異なる取付ホルダに対する兼用性に関して、従来のダウンライトと比べ、本考案によるダウンライトの兼用性がより高い。
【図面の簡単な説明】
【００１７】
本考案の実施例における技術案をより明瞭に説明するため、以下、実施例又は従来技術の説明に必要な図面を簡単に説明する。説明する図面は、本考案の一部の実施例を示すものにすぎず、当業者が、発明能力を用いなくても、これらの図面に基づいて他の図面を得ることが可能である。
【図１】本考案の実施例によるダウンライトの模式的斜視構成図である。
【図２】本考案の実施例によるダウンライトの模式的分解構成図である。
【図３】本考案の実施例によるダウンライトの模式的断面構成図である。
【図４】本考案の実施例によるダウンライトの高さ調節部材の回動を示す模式図である。
【図５】本考案の実施例によるダウンライトの高さ調節部材の回動を示す模式図である。
【図６】本考案の実施例による装飾リングと回動台の模式的分解構成図である。
【図７】本考案の実施例による光源アッセンブリの模式的分解構成図である。
【図８】本考案の実施例による放熱アッセンブリの模式的分解構成図である。
【考案を実施するための形態】
【００１８】
本考案の目的、技術案及び利点をより明瞭にするため、以下、図面及び実施例を用いて、本考案をさらに詳細に説明する。説明する具体的な実施例は、本考案を解釈するためのものにすぎず、本考案を限定するものではない。
【００１９】
１つの部品がもう１つの部品に「固定される」又は「設置される」という場合、その部品がもう１つの部品に直接に配置されてもよく間接に配置されてもよい。１つの部品がもう１つの部品に「接続される」という場合、その部品がもう１つの部品に直接に接続されてもよく間接に接続されてもよい。「上」、「下」、「左」、「右」等の用語で表された方向又は位置関係は、図面に基づくものであり、説明を簡単にするためのものにすぎず、該当装置又は素子が、必ずしも定められた方向を有したり、定められた方向に構成、操作されたり、することを明示又は暗示するものではないため、本考案を限定するものではない。用語「第１」、「第２」は、説明するためのものにすぎず、相対重要性を明示又は暗示したり、技術的特徴の数を暗示したりするものではない。別途の明確、具体的な限定がない限り、「複数」は、２つ以上のことを意味する。
【００２０】
本考案の上記の技術案を説明するため、以下、具体的な図面及び実施例を用いて詳細に説明する。
【００２１】
図１〜図３に示すように、本考案の実施例によるダウンライトは、回動台１と、高さ調節部材２と、放熱アッセンブリ３と、光源アッセンブリ４とを有する。
【００２２】
高さ調節部材２は、一端が回動台１に回動可能に接続され、高さ調節部材２に長孔である調節孔２１が開設される。具体的に、高さ調節部材２の一端を回動台１の側面に回動可能に接続することができるが、これに限定されない。
【００２３】
放熱アッセンブリ３は、回動台１の一端に設けられ、放熱アッセンブリ３と回動台１との相対高さを調節するように、放熱アッセンブリ３の一部に嵌合連結されるスライドブロック３１２１の一部が調節孔２１内に挿設されるとともに調節孔２１内で調節孔２１の長手方向に往復移動可能である。
【００２４】
光源アッセンブリ４は、放熱アッセンブリ３の内部に設置される。ただし、上記の高さは、回動台１の中心軸に平行する方向における寸法を指している。
【００２５】
本考案の実施例によるダウンライトは、回動台１と、回動台１の一端に設けられる放熱アッセンブリ３と、一端が回動台１に回動可能に接続される高さ調節部材２と、放熱アッセンブリ３の内部に設置される光源アッセンブリ４とを有する。放熱アッセンブリ３と回動台１との相対高さを調節するように、高さ調節部材２に調節孔２１が開設され、放熱アッセンブリ３の一部に嵌合連結されるスライドブロック３１２１の一部が調節孔２１内に挿設されるとともに調節孔２１内で往復に移動することができる。放熱アッセンブリ３が高さ調節部材２において調節孔２１内で往復に移動できるスライドブロック３１２１とともに移動できるので、ダウンライト全体の高さを調節可能になり、高さが異なる取付ホルダに適用できるようになる。高さが異なる取付ホルダに対するダウンライトの兼用性に関して、従来のダウンライトと比べ、本考案によるダウンライトの兼用性がより高い。
【００２６】
具体的に、ダウンライトは、放熱アッセンブリ３を調節孔２１を有する高さ調節部材２に固定接続するための第１締付部材（図示しない）をさらに有する。第１締付部材はボルトを用いることができるが、これに限定されない。第１締付部材が調節孔２１に挿設されるスライドブロック３１２１、及び放熱アッセンブリ３を通ってナットと接続することにより、放熱アッセンブリ３を調節孔２１を有する高さ調節部材２に固定接続するとともに、高さ調節部材２の一端と回動台１との回動可能な接続を実現することができる。実際の状況に応じて、他の接続方式により高さ調節部材２の一端と回動台１との回動可能な接続を実現してもよく、本考案では限定しない。
【００２７】
さらに、図２に示すように、本考案によるダウンライトの１種の具体的な実施形態として、放熱アッセンブリ３は、高さ調節部材２と接続される第１放熱部材３１と、第１放熱部材３１の回動台１から離間する端に接続される第２放熱部材３２とを含み、光源アッセンブリ４が第１放熱部材３１に設置される。
【００２８】
具体的に、図２、図７及び図８に示すように、第１放熱部材３１に収容チャンバー３１１１が開設される。光源アッセンブリ４は、それぞれ収容チャンバー３１１１内に収容されるＣＯＢ（Ｃｈｉｐ  Ｏｎ  Ｂｏａｒｄ、チップオンボード）光源４２と、光源ホルダ４３と、レンズ４４と、反射カップ４５とを含む。ＣＯＢ光源４２は、収容チャンバー３１１１の底部に設置されるとともに収容チャンバー３１１１の開口方向へ発光できる。光源ホルダ４３は、ＣＯＢ光源４２の収容チャンバー３１１１の底部から離間する側に設置され、ＣＯＢ光源４２を収容チャンバー３１１１の底部に固定するためのものである。レンズ４４は、光源ホルダ４３のＣＯＢ光源４２から離間する側に設置され、集光に用いられる。反射カップ４５は、レンズ４４の光源ホルダ４３から離間する側に設置され、光取り出し効率を向上させるためのものである。本考案によるダウンライトは、従来のダウンライトと比べ、集光効果及び光取り出し効率が優れる。
【００２９】
具体的に、レンズ４４は、反射カップ４５に近隣して設けられるとともに集光に用いられる集光部４４１を含む。反射カップ４５は、中空の構造であり、直径がレンズ４４から動台１への方向において漸増し、レンズ４４の集光部４４１を反射カップ４５のチャンバーに収容するように、反射カップ４５がレンズ４４に覆設される。該実施例では、レンズ４４の寸法が比較的に小さく、反射カップ４５が一定の深さを有し、即ち、反射カップ４５のチャンバーの深さがレンズ４４の集光部４４１の高さより大きい。したがって、反射カップ４５は、集光部４４１を反射カップ４５のチャンバーに完全に収容することができ、光取り出し効率を効果的に向上させることができる。
【００３０】
具体的に、反射カップ４５は、その直径がレンズ４４から回動台１への方向において漸増するとともにレンズ４４に覆設されるため、ＣＯＢ光源４２の作動時に発生する熱が反射カップのカップ口まで流されてそのあたりに集まる。放熱の問題を解決するため、反射カップ４５は、アルミニウム合金又は鉄等の金属材質のものを用いることが好ましい。上記の金属材質のものが熱伝導性に優れるので、反射カップ４５により熱を第１放熱部材３１に伝導して、反射カップ４５、レンズ４４及び第１放熱部材３１の収容チャンバー３１１１内の温度を低減させることに寄与できる。なお、放熱効果を実現するとともにコストを低減させるため、反射カップ４５の肉厚をできるだけ薄くすることが好ましい。
【００３１】
具体的に、本考案によるダウンライトは、光源アッセンブリ４を第１放熱部材３１内に取り付けるための第２締付部材（図示しない）をさらに有し、レンズ４４、光源ホルダ４３、ＣＯＢ光源４２、第１放熱部材３１及び第２放熱部材３２が同一の第２締付部材により一体に接続される。第２締付部材は、ボルトを用いることができるが、これに限定されない。
【００３２】
ＣＯＢ光源４２は、耐圧性が劣り、ＣＯＢ光源４２の圧壊を避けるため、収容チャンバー３１１１の底部とＣＯＢ光源４２との間にスペーサ８が設置されることが好ましい。スペーサ８は、弾性を持つものであるので、緩衝の役割を果たし、ＣＯＢ光源４２の圧壊を防止することができる。
【００３３】
具体的に、図７、図８に示すように、レンズ４４に、光源ホルダ４３に向かって凹んだ少なくとも２つの取付部４４２が設けられる。光源ホルダ４３に、取付部４４２を嵌設するための取付溝４３１が設けられる（図２を参照）。光源ホルダ４３のレンズ４４から離間する側に、ＣＯＢ光源４２を載置するための光源溝４３４が設けられる。取付部４４２に第１取付孔４４３が開設され、取付溝４３１の底部に第２取付孔４３３が開設され、第１放熱部材３１の収容チャンバー３１１１の底部に第３取付孔３１１３が開設され、第２放熱部材３２に第４取付孔３２２１が開設される。第２締付部材は、第１取付孔４４３、第２取付孔４３３、第３取付孔３１１３を順に通って第４取付孔３２２１にねじ接続されることにより、レンズ４４、光源ホルダ４３、ＣＯＢ光源４２、第１放熱部材３１及び第２放熱部材３２が一体に接続される。なお、実際の状況に応じて、第２締付部材を第１取付孔４４３、第２取付孔４３３、第３取付孔３１１３及び第４取付孔３２２１に順に通らせてナットとねじ接続させて、レンズ４４、光源ホルダ４３、ＣＯＢ光源４２、第１放熱部材３１及び第２放熱部材３２を一体に接続してもよい。
【００３４】
レンズ４４及び光源ホルダ４３は、プラスチック材質のものを用いる。組立プロセスを簡単にするため、レンズ４４と光源ホルダ４３とを一体成形により製造することができる。具体的な材質として、ダウンライトのパワー及び温度に基づいて選択することができ、例えば、耐高温性のポリカーボネート（Ｐｏｌｙｃａｒｂｏｎａｔｅ、ＰＣ）材料を用いることができる。
【００３５】
レンズ４４及び光源ホルダ４３は、プラスチック材質のものを用い、レンズ４４と光源ホルダ４３とを、それぞれの材料で別体にして射出成形することができる。具体的な材質として、ダウンライトのパワー及び温度に基づいて選択することができ、例えば、耐高温性のポリカーボネート材料を用いることができる。該実施例では、光の損失を防ぐように光源ホルダ４３が遮光性の材質のものを用い、レンズ４４が透明材質のものを用いる。
【００３６】
調節孔２１は、具体的に、回動台１に近隣する端から放熱アッセンブリ３に近隣する端への方向において延在するトラック孔である。なお、実際の状況に応じて、調節孔２１の形状を適宜に変更することができ、本考案では限定しない。
【００３７】
さらに、図２に示すように、本考案によるダウンライトの１種の具体的な実施形態として、第１放熱部材３１は、収容チャンバー３１１１が設けられる本体部３１１と、それぞれ本体部３１１の反対の両側に設けられる突出部３１２とを含む。第３取付孔３１１３が本体部３１１に設けられる。突出部３１２に嵌合連結されるスライドブロック３１２１の一部が、対応の調節孔２１内に挿設されるとともに、調節孔２１内でその長手方向に沿って往復移動可能である。
【００３８】
好ましくは、回動台１の反対の両側にそれぞれ高さ調節部材２が回動可能に接続され、突出部３１２の本体部３１１から離間する側にスライドブロック３１２１が設けられ、即ち、放熱アッセンブリ３の反対の両側にそれぞれスライドブロック３１２１が設けられる。スライドブロック３１２１は、突出部３１２の端面に沿う主板部と、前記主板部の一方の面側に突出する環状フランジと、前記主板部の他方の面側に突出する被案内凸部と、前記被案内凸部を貫通し且つ第１締付部材が挿通される挿通孔とを含む。前記環状フランジが突出部３１２に外嵌連結される。スライドブロック３１２１の前記被案内凸部は、対応する高さ調節部材２の調節孔２１内に嵌設されるとともに、調節孔２１内で調節孔２１の長手方向に案内されて往復移動可能である。
【００３９】
具体的に、第１締付部材が、スライドブロック３１２１の突出部３１２から離間する側から、調節孔２１に前記被案内凸部が挿入嵌合されたスライドブロック３１２１の前記挿通孔、及び突出部３１２の挿通孔に順に挿通されてナットと接続されることにより、前記ナットと前記第１締付部材としてのボルトの頭部との間で、突出部３１２と、スライドブロック３１２１の前記主板部と、調節孔２１を有する高さ調節部材２とが挟持されて互いに締付固定される。スライドブロック３１２１が調節孔２１内でスライドするとき、放熱アッセンブリ３も調節孔２１の長手方向に沿ってスライドできるので、放熱アッセンブリ３と回動台１との間の距離を変更して、ダウンライトの高さを調節することができる。なお、ナットを用いずに、第１締付部材としてのボルトが、突出部３１２のねじ孔に対してねじ込み固定されてもよい。実際の状況に応じて、他の方式を利用して突出部３１２と調節孔２１とのスライド可能な接続を実現してもよく、本考案では限定しない。
【００４０】
さらに、図１、図２及び図６に示すように、回動台１は、中空チャンバー１１を有する。本体部３１１の第２放熱部材３２から離間する端は、中空チャンバー１１に挿入される。第１放熱部材３１の回動に干渉しないように回動台１の側壁に回避用切欠１２が開設され、第２放熱部材３２の回避用切欠１２に対応する側が切り取られる。第２放熱部材３２の回避用切欠１２に対応する側の形状を回避用切欠１２に合わせることによって、第２放熱部材３２の回動に干渉しないようにする。該実施例では、図４と図５に示すように、高さ調節部材２が第１放熱部材３１及び第２放熱部材３２を回動台１に対して回動駆動するとき、回動台１に回避用切欠１２を設け、第２放熱部材３２の回避用切欠１２に対応する側の形状を回避用切欠１２に合わせるようにすることによって、第１放熱部材３１及び第２放熱部材３２の回動に干渉しないようにされる。
【００４１】
さらに、図２〜図５に示すように、高さ調節部材２の一側に、回避用切欠１２の側壁と当接するための第１制限部２２が設けられ、回動台１に、高さ調節部材２の第１制限部２２から離間する側と当接するための第２制限部１３が設けられる。第１制限部２２と第２制限部１３を設けられることにより、高さ調節部材２の回動角度を制限することができる。
【００４２】
高さ調節部材２の回動台１の中心軸に対する回動角度の範囲を−１５°〜３０°にし、第１放熱部材３１の回動台１の中心軸に対する回動角度の範囲を０°〜４５°にすることができる。ダウンライトの照射角度の調節可能な範囲を確保しながら、第２放熱部材３２の回避用切欠１２に対応する側の切り落とす体積を抑えることによって、第２放熱部材３２の放熱するための十分の体積を保つことができる。
【００４３】
さらに、図２に示すように、ダウンライトは、回動台１の外に環装されるとともに回動台１に対して回動可能な帯状リング５をさらに有する。帯状リング５は、ダウンライトの取付ホルダに取り外し可能に接続される。帯状リング５が回動台１に対して回動可能であるため、帯状リング５を取付ホルダに設置することにより、帯状リング５に対して回動台１を回動させて、ダウンライトの照射角度を調整することができる。
【００４４】
好ましくは、回動台１の外側に環状凹溝１４が設けられ、帯状リング５の内壁に、その周方向において環状凹溝１４に係合する複数の弾性片５１が設けられる。弾性片５１が環状凹溝１４に密接して当接することにより、帯状リング５が、回動台１に設置されるとともに回動台１に対して回動可能になる。なお、実際の状況に応じて、他の方式を利用して帯状リング５の回動台１に対する回動を実現してもよく、本考案では限定しない。
【００４５】
具体的に、回動台１の外側壁に間隔をあけて２つの環状つばが設けられ、２つの環状つばの間の部分が環状凹溝１４である。帯状リング５の内壁に、帯状リング５が回動台１から抜けることを防止するための第１位置制限突起５２がさらに設けられる。第１位置制限突起５２の放熱アッセンブリ３から離間する端面が、回動台１の放熱アッセンブリ３に近隣して設けられる環状つばの放熱アッセンブリ３に近隣する端面に当接することにより、帯状リング５が回動台１から抜けることを防止することができる。
【００４６】
具体的に、ダウンライトは、放熱アッセンブリ３の回動台１に近隣する端に設置される押圧リング６をさらに有する。押圧リング６は、具体的に、第１放熱部材３１の回動台１に近隣する端に設置され、押圧リング６の内周面に第２位置制限突起６１が設けられ、第２位置制限突起６１の第１放熱部材３１に近隣する端が、反射カップ４５の回動台１に近隣する端と当接することにより、光源アッセンブリ４を第１放熱部材３１の収容チャンバー３１１１内に固定する。また、押圧リング６は、全体として黒色であり、内周面にアンチグレアのための歯状微細構造がさらに設けられる。歯状微細構造は、具体的に第２位置制限突起６１の回動台１に近隣する側に位置するので、アンチグレアの役割を果たすことができる。
【００４７】
押圧リング６と第１放熱部材３１とを取り外し可能に接続することができ、具体的に、ねじ接続を利用することができるが、これに限定されない。例えば、押圧リング６に雌ねじを設け、第１放熱部材３１に雌ねじと合わせる雄ねじを設けることにより、押圧リング６と第１放熱部材３１とのねじ接続を実現する。なお、実際の状況に応じて、押圧リング６と第１放熱部材３１とは、他の方式を利用して取り外し可能な接続を実現してもよい。
【００４８】
さらに、図２と図６に示すように、ダウンライトは、回動台１の内側に取り外し可能に挿設される装飾部材７をさらに有する。装飾部材７は、具体的に、環状を呈し、ユーザのそれぞれの要求に応じて、回動台１の内側で、異なる色の装飾部材７を交換することができる。第１放熱部材３１が調節孔２１において回動台１から離間する方向に沿ってスライドするとき、ＣＯＢ光源４２から反射カップ４５とレンズ４４を経由して出射した光が装飾部材７に投光され、異なる色の装飾部材７での反射又は屈折により異なる色の光を投射できるので、ユーザの要求に応じて異なる雰囲気を作ることができる。
【００４９】
アンチグレア効果をさらに上げるため、装飾部材７の内側面にアンチグレアのための歯状微細構造を設けることが好ましい。したがって、視覚上の不快感を抑え、物体に対する視認の視覚条件を下げることができ、ユーザの使用体験を大幅に向上させることができる。
【００５０】
具体的に、装飾部材７に、高さ調節部材２と回動台１との回動接続構造を回避するための回避用突起７１が設けられ、回避用突起７１に係合溝７２が設けられ、回動台１に係合部材１５が設けられる。係合部材１５が係合溝７２と係合することにより、回動台１と装飾部材７との取り外し可能な接続が実現される。
【００５１】
さらに、図８に示すように、第２放熱部材３２の放熱効率を向上させるため、第２放熱部材３２は木の枝状を呈する。具体的に、第２放熱部材３２は、中心部３２１と、中心部３２１から周りへ延伸して形成された少なくとも３つの主幹部３２２と、主幹部３２２からそれぞれ反対側へ延伸して形成された少なくとも１つの分岐部３２３とを含む。中心部３２１の第１放熱部材３１に近隣する端に突起台３２１１が設けられ、第４取付孔３２２１が主幹部３２２に設けられる。そして、主幹部３２２の厚さが中心部３２１から周りへの方向において漸小しているので、第２放熱部材３２の重量を抑えることができる。該実施例では、第２放熱部材３２は、１つの中心部３２１と、中心部３２１から周りへ均等に延伸して形成された６つの主幹部３２２と、主幹部３２２から外側へ延伸して形成された少なくとも２つの分岐部３２３とを含む。なお、中心部３２１、主幹部３２２及び分岐部３２３の数を適宜に変更することができ、本考案では限定しない。
【００５２】
具体的に、第２放熱部材３２の放熱効率を保証するため、分岐部３２３の反対の両側にそれぞれ複数のリブ３２３１が設けられる。分岐部３２３の側面に波状構成を形成することにより、分岐部３２３の側面の放熱面積を増大させ、放熱効率を大幅に向上させることができる。該実施例では、隣り合う分岐部３２３の間の自然対流を順調にするため、隣り合う２つの分岐部におけるリブ３２３１間の距離を５ｍｍ以上にすることができる。これによって、放熱効率をさらに向上させるとともに、第２放熱部材３２の重量をさらに抑えることができる。
【００５３】
本考案の実施例によるダウンライトでは、放熱効率を向上させるため、第２放熱部材３２の高さを増やすことができる。ライト全体の高さの制限に基づいて、第２放熱部材３２の高さを５０ｍｍ〜７０ｍｍにすることが好ましい。例えば、第２放熱部材３２の高さを６３ｍｍにすることができる。また、放熱面積を増大するため、第２放熱部材３２の直径を増やすことができる。放熱アッセンブリ３の回動角度の制限に基づいて、第２放熱部材３２の直径を、第１放熱部材３１の直径よりも１０ｍｍ〜３０ｍｍ大きくすることが好ましい。例えば、第２放熱部材３２の直径を、第１放熱部材３１の直径よりも２０ｍｍ大きくすることができる。
【００５４】
さらに、図８に示すように、第１放熱部材３１の収容チャンバー３１１１の底部に貫通口３１１２が設けられ、第２放熱部材３２の第１放熱部材３１に近隣する端に、貫通口３１１２内に嵌設する突起台３２１１が設けられ、即ち、突起台３２１１が収容チャンバー３１１１の底面の一部となっている。突起台３２１１はスペーサ８と接触し、熱抵抗が小さくされ、熱伝導が優れるので、ＣＯＢ光源４２がスペーサ８及び突起台３２１１を介して第２放熱部材３２へ熱を伝導することができる。該実施例では、突起台３２１１の厚さが収容チャンバー３１１１の底面の厚さと同じである。スペーサ８が熱伝導性絶縁材料であり、具体的に、熱伝導性シリコーンゴムシートを用いることができるが、これに限定されない。熱伝導性シリコーンゴムシートの面積がＣＯＢ光源４２の面積よりも大きい。
【００５５】
具体的に、光源ホルダ４３のレンズ４４から離間する側に、スペーサ溝４３２が設けられ、光源溝４３４がスペーサ溝４３２の底部に設けられ、スペーサ溝４３２の深さがスペーサ８の厚さの７０％〜８０％であるため、第２締付部材によりレンズ４４、光源ホルダ４３、光源、スペーサ８、第１放熱部材３１及び第２放熱部材３２を一体に接続するとき、スペーサ８の２０％〜３０％が圧縮され、構造全体をコンパクトにすることができる。
【００５６】
さらに、ダウンライトの使用時のパワーに応じて、適当な第１放熱部材３１及び押圧リング６の材料を選択できる。ダウンライトの使用時のパワーが比較的に大きい場合、優れる放熱性能を確保するため、第１放熱部材３１及び押圧リング６は、金属材質のものを用いることが好ましい。具体的に、アルミダイカストのものを用いることができるが、これに限定されない。ダウンライトの使用時のパワーが比較的に小さい場合、第１放熱部材３１及び押圧リング６は、製造コストを抑えるため、一般のプラスチック材質のものを用いることが好ましい。本考案によるダウンライトは、主に第２放熱部材３２を介して放熱を行うので、優れる放熱性能を確保するため、第２放熱部材３２が金属材質のものを用いる。具体的に、アルミ押出形材を用いることができるが、これに限定されない。上記の設計により、本考案によるダウンライトは、放熱性能が優れ、本考案によるダウンライトの使用時のパワーが４０Ｗ以上に達することができる。さらに、ＣＯＢ光源４２の温度が９０℃未満であり、速やかに放熱できない問題を避けることができる。
【００５７】
上記は、本考案の選択可能な実施例にすぎず、本考案を限定するものではない。本考案の精神及び主旨を逸脱しない限り、行われる如何なる変更、均等置換及び改良等も、本考案の保護範囲内に属する。
【符号の説明】
【００５８】
１  回動台
１１  中空チャンバー
１２  回避用切欠
１３  第２制限部
１４  環状凹溝
１５  係合部材
２  高さ調節部材
２１  調節孔
２２  第１制限部
３  放熱アッセンブリ
３１  第１放熱部材
３１１  本体部
３１１１  収容チャンバー
３１１２  貫通口
３１１３  第３取付孔
３１２  突出部
３１２１  スライドブロック
３２  第２放熱部材
３２１  中心部
３２１１  突起台
３２２  主幹部
３２２１  第４取付孔
３２３  分岐部
３２３１  リブ
４  光源アッセンブリ
４２  ＣＯＢ光源
４３  光源ホルダ
４３１  取付溝
４３２  スペーサ溝
４３３  第２取付孔
４３４  光源溝
４４  レンズ
４４１  集光部
４４２  取付部
４４３  第１取付孔
４５  反射カップ
５  帯状リング
５１  弾性片
５２  第１位置制限突起
６  押圧リング
６１  第２位置制限突起
７  装飾部材
７１  回避用突起
７２  係合溝
８  スペーサ
【図１】
0003228536.tif 000003
【図２】
0003228536.tif 000004
【図３】
0003228536.tif 000005
【図４】
0003228536.tif 000006
【図５】
0003228536.tif 000007
【図６】
0003228536.tif 000008
【図７】
0003228536.tif 000009
【図８】
0003228536.tif 000010